(57)【要約】【課題】電気掃除機において、ホースを引っ張ると、手元パイプと回転パイプとの抜け止め部に大きな荷重が加わり、抜け止め部の損傷や導線の断線等が生じること。【解決手段】手元パイプ６の延長管側からホース２側に向かうに従って手元パイプ６との距離が大きくなる空間を形成する延接部３ａを設け、延接部３ａ内にホース２に敷設された導電線１４を導入すると共に、手元パイプ６と回転パイプ９との接続部分を延接部３ａ内に位置させ、接続部分には、手元パイプ６と回転パイプ９との抜け止めを行う、抜け止めストッパー１１と案内溝６ｂからなる抜け止め部を設けて、手元パイプ６、回転パイプ９の内径、外径に影響を与えることなく案内溝６ｂを深くする構成にした。これにより、ホース２に大きな引張り力が加わっても、抜け止めストッパー１１が案内溝６ｂを容易に乗り越えないようにすることができ、抜け止め部の損傷等が防止できるようになる。【選択図】図１
2007236971.tif 000002
【特許請求の範囲】
【請求項１】
掃除機本体側に一端側が接続されるホースと、このホースの他端側に接続される回転パイプと、この回転パイプと回動自在に接続される手元パイプと、前記手元パイプの他端側に接続される延長管と、前記手元パイプの前記延長管側から前記ホース側に向かうにしたがって前記手元パイプとの距離が大きくなる空間を形成するように略斜め方向に向かって前記手元パイプと一体に延接して設けた延接部と、この延接部に前記手元パイプと離間するように設けたハンドル部とを備え、前記延接部内に前記ホースに敷設された導電線を導入するとともに、手元パイプと回転パイプとの接続部分を前記延接部内に位置させ、前記接続部分には前記手元パイプと回転パイプとの回動範囲を規制すると共に、抜け止めを行うための抜け止めストッパーと案内溝からなる抜け止め部を設けて、前記回転パイプの内径、外径に影響を与えることなく前記案内溝を深くする構成とした電気掃除機。
【発明の詳細な説明】
【技術分野】
【０００１】
本発明は、一般家庭で使用される電気掃除機に関するものである。
【背景技術】
【０００２】
従来、この種の電気掃除機として、例えば下記特許文献１のものが知られている。すなわち、電動送風機を内蔵しこの電動送風機の吸気側に連通する集塵室を内部に有するとともにこの集塵室と外部とを連通する吸込口を有する掃除機本体と、この掃除機本体の吸込口に一端部が接続され握り部を他端部に有するホースと、このホースの握り部に接続される吸込部材と、この吸込部材に設けられ前記掃除機本体に設けられた電気回路に前記ホースに設けられた導線を介して電気的に接続される電気的負荷とを備え、前記ホースの握り部は、可撓性を有するホース本体に固定された接続管と、この接続管に一端部が回動自在に接続されるとともに前記吸込部材が他端部に接続される握り管とからなり、前記ホースの導線は、前記接続管側から握り管側へ直接導かれ、前記接続管および握り管のいずれか一方の接続部の周面に抜け止め突起を設け、他方の接続部の周面に前記握り管の回動周方向に沿って前記抜け止め突起が摺動自在に係合する案内溝を設け、この案内溝に前記抜け止め突起が回動周方向から当接して前記握り管の回動可能範囲を規制するストッパー部を設けたものである。
【０００３】
そして以上の構成により、掃除機本体に一端部を接続したホースの他端部の握り管を把持して掃除する際、掃除機本体とホースとの位置関係の変化によりホースがねじれる方向に握り管が変位あるいは回動しても、握り管がホース本体に固定した接続管に対して回動するため、可撓性を有するホース本体のねじれは防止され、接続管と握り管との位置関係によらず、接続管側から握り管側に直接導いたホースの導線を介して、掃除機本体の電気回路とホースの握り管に接続した吸込部材の電気的負荷との電気的接続は保持される。また、握り管を接続管に対して抜け止めする抜け止め突起が摺動自在に係合する案内溝に抜け止め突起が回動周方向から当接するストッパー部を設けたため、握り管の回動が規制され、接続管と握り管との接続部分にホースの導線の巻き付けが防止され、導線の損傷が防止される。
【特許文献１】特公平７−１０８２７４号公報
【発明の開示】
【発明が解決しようとする課題】
【０００４】
しかしながら、この従来技術においては、握り管を直接握って掃除作業を行うので、例えば掃除機本体が段差を乗り越えることができず、段差に引っかかった状態で握り管を握ってホースを引っ張ると、抜け止め突起に大きな荷重が加わり、抜け止め突起が損傷して導線に張力が加わり、導線の断線等の問題を生じることがある。また、ホースのねじれを防止するためには握り管と接続管との回動範囲を３６０度近くの大きな回動範囲とすることが好ましいが、従来技術のものでは抜け止め突起に回動範囲を規制するストッパー部を設けているので、抜け止め突起の数を増やしたり、抜け止め突起の幅を広くしたりすることは、回動範囲を大きくする上で大きな制約となるために抜け止め突起の数を１つとし、かつ、その幅もできる限り小さくしているものであった。このため、ホース引張り力に大きな力が加わると抜け止め突起が損傷するという事態を招くものであった。
【０００５】
また、案内溝を深くして奥深くまで抜け止め突起が挿入できるようにすれば、大きな引張り力によっても抜け止め突起が容易に案内溝を乗り越えてしまうことが防止できるが、案内溝を深くするには握り管の内径を小さくするか、あるいは外径を大きくして相対的に案内溝を深くしなければならないが、内径を小さくすると握り管内を流れる吸込気流に対する通気抵抗が増大して吸込み性能を低下させてしまう課題が発生するし、外径を大きくすると握り管を回動自在に接続する接続管の外径が増大して重量が重たくなるし、また接続管に設けたスライドスイッチの操作も接続管を握って行なうために操作性が低下してしまう。
【０００６】
本発明は以上のような従来の課題を解決しようとするものであって、ホースに大きな引張り力が加わっても、抜け止め突起が容易に案内溝を乗り越えないようにすると共に、操作性を向上させることを目的とする。
【課題を解決するための手段】
【０００７】
前記従来の課題を解決するために本発明の電気掃除機は、掃除機本体側に一端側が接続されるホースと、このホースの他端側に接続される回転パイプと、この回転パイプと回動自在に接続される手元パイプと、前記手元パイプの他端側に接続される延長管と、前記手元パイプの前記延長管側から前記ホース側に向かうにしたがって前記手元パイプとの距離が大きくなる空間を形成するように略斜め方向に向かって前記手元パイプと一体に延接して設けた延接部と、この延接部に前記手元パイプと離間するように設けたハンドル部とを備え、前記延接部内に前記ホースに敷設された導電線を導入するとともに、手元パイプと回転パイプとの接続部分を前記延接部内に位置させ、前記接続部分には前記手元パイプと回転パイプとの回動範囲を規制すると共に、抜け止めを行うための抜け止めストッパーと案内溝からなる抜け止め部を設けて、前記手元パイプ、回転パイプの内径、外径に影響を与えることなく前記案内溝を深くする構成としたものである。
【０００８】
この構成によれば、抜け止めストッパーと案内溝から構成される抜け止め部を延接部内に設けられるので、ホースに大きな引張り力が加わっても、案内溝を深くして、抜け止めストッパーが案内溝を容易に乗り越えないようにすることができ、大きな引張り力に十分耐えられる抜け止め部の構造を、大きさからの制約を受けることなく設計することができ、また、延接部には手元パイプと離間したハンドル部を設けたことにより、ハンドル部の径が、握り易い径に設定でき、操作性の向上が図れるものである。
【発明の効果】
【０００９】
本発明の電気掃除機は、ホースに大きな引張り力が加わっても、回転自在に設けられた手元パイプと回転パイプにおいて、その抜け止め部を構成する抜け止めストッパーが案内溝を容易に乗り越えないようにすることができる。
【発明を実施するための最良の形態】
【００１０】
第１の発明は、掃除機本体側に一端側が接続されるホースと、このホースの他端側に接続される回転パイプと、この回転パイプと回動自在に接続される手元パイプと、前記手元パイプの他端側に接続される延長管と、前記手元パイプの前記延長管側から前記ホース側に向かうにしたがって前記手元パイプとの距離が大きくなる空間を形成するように略斜め方向に向かって前記手元パイプと一体に延接して設けた延接部と、この延接部に前記手元パイプと離間するように設けたハンドル部とを備え、前記延接部内に前記ホースに敷設された導電線を導入するとともに、手元パイプと回転パイプとの接続部分を前記延接部内に位置させ、前記接続部分には前記手元パイプと回転パイプとの回動範囲を規制すると共に、抜け止めを行うための抜け止めストッパーと案内溝からなる抜け止め部を設けて、前記手元パイプ、回転パイプの内径、外径に影響を与えることなく前記案内溝を深くする構成としたものである。
【００１１】
この構成によれば、抜け止めストッパーと案内溝から構成される抜け止め部を延接部内に設けられるので、ホースに大きな引張り力が加わっても、案内溝を深くして、抜け止めストッパーが案内溝を容易に乗り越えないようにすることができ、大きな引張り力に十分耐えられる抜け止め部の構造を、大きさからの制約を受けることなく設計することができ、また、延接部には手元パイプと離間したハンドル部を設けたことにより、ハンドル部の径が、握り易い径に設定でき、操作性の向上が図れるものである。
【００１２】
以下、本発明の実施の形態について、図面を参照しながら説明する。なお、この実施の形態によって本発明が限定されるものではない。
【００１３】
（実施の形態１）
以下本発明の第１の実施の形態を、図１〜図３を用いて説明する。
【００１４】
図３は掃除機の全体を示すもので、電動送風機を内蔵した掃除機本体１の吸込口にホース２の一端を接続し、このホース２の他端側には手元部３が接続され、この手元部３内には掃除機本体１内の電動送風機の運転をコントロールするための部品が内蔵されている。手元部３の反ホース側には延長管５の一端側が接続され、延長管５の他端側には床ノズル４が接続されている。床ノズル４内には回転ブラシが配されており、回転ブラシは電動機により回転駆動される。
【００１５】
図１に示すように、手元部３は屈曲した（必要により湾曲させても良い）手元パイプ６と、手元パイプ６の屈曲部分からホース２側に延接する延接部３ａを有し、延接部３ａはホース２側に向かうにしたがって手元パイプ６との距離が大きくなる空間を形成している。さらに延接部３ａには手元パイプ６と離間したハンドル部８を形成し、このハンドル部８を握って掃除作業を行なうようにしている。
【００１６】
ホース２の他端側に取り付けた回転パイプ９は、手元パイプ６内に挿入される。これら手元パイプ６、回転パイプ９の接続部は延接部３ａ内に位置する。ホース２には４本の導電線１４が敷設されており、回転パイプ９に取り付けた導電線接続部９ａにより、延接部３ａ内に導入される４本の導線１５が電気的に接続されている。導線１５は延接部３ａ及びハンドル部８内に配したプリント基板１３に電力供給する２本の導電線とプリント基板１３に実装されたスイッチ１３ａで操作された信号を掃除機本体１側に伝達する２本の信号線からなる。２本の信号線が伝達する信号としては、電動送風機の運転・停止信号、電動送風機の回転数信号等があり、プリント基板１３に実装されたスイッチ１３ａ群を操作することにより上述した各信号を送出し得るものである。
【００１７】
次に、手元パイプ６と回転パイプ９との接続部周辺の詳細を図１及び図２により詳述する。回転パイプ９の周面には一対の環状リブ６ａを設け、そのリブ６ａ間に環状の案内溝６ｂを形成している。また、回転パイプ９の外周面には突起部Ｂ１９を形成し、手元パイプ６の屈曲部よりホース２側の下部空間、すなわち延接部３ａと反対側の空間を形成する外壁１７を設け、この外壁１７の内面にも突起部Ａ１８を形成し、これら突起部Ａ１８と突起部Ｂ１９とにより回動規制を行なうようにしている。回動規制範囲は２７０度程度であり、必要に応じて突起部Ａ、Ｂの大きさを変えることにより変更できる。また、回転パイプ９の案内溝６ｂ内には、抜け止めストッパー１１の端部が回動周方向から当接して、回転パイプ９の抜け止めを行なうようにしている。抜け止めストッパー１１は手元パイプ６の接続部の周面に設けた取付部１２にねじ締め固定されている。
【００１８】
上記構成による作用は以下の通りである。
【００１９】
掃除機使用中の移動により使用者が掃除機本体１の周囲を回転するような動きをすると、ホ−ス２がねじれることとなる。通常使用時のわずかなねじれの時には、ホース２を接続した回転パイプ９が手元パイプ６に回動自在であるためねじれを吸収する。他方、過度のねじれが起こったり、強制的にホース２を回転させると、回転パイプ９の外周面に形成した突起部Ｂ１９が突起部Ａ１８に当接し、上記の過度の力によってホース２が回転しすぎて導線１５に張力が作用し、損傷したり、断線したりすることを防止する。
【００２０】
また、抜け止めストッパー１１を延接部３ａ内に設けているので、ホース２に大きな引張り力が加わっても、手元パイプ６や回転パイプ９の大きさからの制約を受けることなくそれに十分耐えられる抜け止めストッパー１１に設計することができる。さらには、延接部３ａには手元パイプ６と離間したハンドル部８を設けたことにより、ハンドル部８の径を、延接部３ａの大きさに影響されず、握り易い径に設定でき、操作性の向上が図れるものである。
【００２１】
また、屈曲もしくは湾曲した手元パイプ６には、その屈曲部分もしくは湾曲部分からホース２側に延接する空間を形成しているので、手元パイプ６とハンドル部８間のスペースを有効活用してプリント基板１３や抜け止めストッパー１１などの部品を配置できるものである。
【００２２】
そして、この空間は配置する部品に応じて大きさを大きくしても、ハンドル部８を握ってスイッチ１３ａを操作する動作に対して支障になることはなく、設計上の自由度を確保できるものである。
【００２３】
次に、回転パイプ９の接続部の周面に、回動周方向に沿って抜け止めストッパー１１が摺動する案内溝６ｂを設けて抜け止めを行ない、また回動規制は突起部Ａ１８、突起部Ｂ１９の当接で行なって抜け止め部と回動範囲規制部を分離しているため、これらを一体に形成した場合に生じる回動範囲規制部の摺動による磨耗を防止できるものである。
【００２４】
（実施例２）
次に本発明の第２の実施例を、図１、図３を用いて説明する。なお上記第１の実施例と同一構成部品については同一符号を付して、その説明を省略する。
【００２５】
手元パイプ６の屈曲部分からホース２側に延接する延接部３ａ、延接部３ａに延接されるハンドル部８の上方は開口して形成され、この開口を上方から閉塞するカバー部材２０が、プリント基板１３を貫通するように延接部３ａ内部より前記開口方向に突出して形成した締め付けボス２１にねじ締め固定されている。
【００２６】
ここで手元部３の組立を説明する。
【００２７】
導線１５は延接部３ａ内に挿入された後、延接部３ａを経由して前記開口へ取り出される。続いて回転パイプ９を手元パイプ６内に確実に挿入した後、抜け止めストッパー１１を前記開口から取付部１２に装着し、ねじ締め固定を行なう。導線１５を接続したプリント基板１３を前記締め付けボス２１に位置合わせして延接部３ａ内に取り付け、カバー部材２０を手元パイプ６の上方よりセットし、ねじ２２を締め付けて組立が完了となる。
【００２８】
上記構成による作用は以下の通りである。
【００２９】
手元パイプ６の上部開口をカバー部材２０で閉塞したことにより、抜け止めストッパー１１の取付け、並びにプリント基板１３と導線１５の接続、そして接続後のプリント基板１３の組立を前記開口側から行なえ、組立が非常に容易に行なえることとなる。
【００３０】
（実施例３）
次に本発明の第３の実施例を、図４〜図５を用いて説明する。なお上記第１、第２の実施例と同一構成部品については同一符号を付して、その説明を省略する。
【００３１】
手元パイプ６の外壁１７と回転パイプ９外周面との間には空間部２１が形成され、導線１５が図５に示すようにこの空間部２１内で弛みをもって配されている。この弛みは、回転パイプ９が全回動範囲で回動する時、導線１５に張力が作用しない長さに設定されている。それ故、掃除機を使用中にホース２がねじれることが起こっても、手元パイプ６に対して回転パイプ９が所定の角度間で回転し、導線１５へ張力が加わって断線等の事態が発生することを防止できるものである。
【００３２】
（実施例４）
次に本発明の第４の実施例を、図６を用いて説明する。なお上記第１〜第３の実施例と同一構成部品については同一符号を付して、その説明を省略する。
【００３３】
突起部Ａ１８は、手元パイプ６の内壁２３と外壁１７に連結し、手元パイプ６の長手方向に中空部２４が形成されている。
【００３４】
上記構成による作用は以下の通りである。
【００３５】
ホース２に過度のねじりを加えても損傷しない高強度な突起部を形成するためには通常突起部を厚肉にすれば良いが、この場合には樹脂射出成形で製作する手元パイプ６の外壁１７の前記突起部外観部に、ヒケ現象などの外観商品性を低下させる現象が生じてしまう。ところが突起部Ａ１８には中空部２４を形成しているため、上記のように外観不良を起こすことはない。また、内壁２３と外壁１７に連結しているため、回動方向へのねじり力に対して内壁２３と外壁１７の周面が大きな支え部となり、所定の高強度な回動規制用の突起とすることができる。
【００３６】
（実施例５）
次に本発明の第５の実施例を、図７〜図９を用いて説明する。なお上記第１〜第３の実施例と同一構成部品については同一符号を付して、その説明を省略する。
【００３７】
回転パイプ９の抜け止めを行なう抜け止めストッパー１１には、ハンドル部８側に延接されて環状部２５が一体に設けられ、かつ環状部２５の上下面の内外面は滑らかに形成されている。導線１５はこの環状部２５内を通ってプリント基板１３に接続されている。
【００３８】
上記構成による作用は以下の通りである。
【００３９】
環状部２５内外面を滑らかに形成して導線１５を通したことにより、回転パイプ９が回動する範囲間で、射出成形の金型構造上やむを得ず発生する手元パイプ６内のエッヂ部に導線１５が触れることがなくなり、導線１５の損傷を防止できるものである。
【００４０】
（実施例６）
次に本発明の第６の実施例を、図１０〜図１１を用いて説明する。なお上記第１〜第５の実施例と同一構成部品については同一符号を付して、その説明を省略する。
【００４１】
回転パイプ９の抜け止めを行なう抜け止めストッパー１１に一体に設けられた環状部２５には、その一部に隙間間隔約１ｍｍの切欠き部２６が形成されている。
【００４２】
このため、切欠き部２６に導線１５を挿入方向に押し付けると、押し付け力で隙間が広がり、導線１５を環状部２５内に挿入できることとなり、導線１５が手元パイプ６のエッジ部に触れて損傷することを防止するための、導線１５を環状部２５へ通す組み立て作業性が格段に向上するものである。
【００４３】
（実施例７）
次に本発明の第７の実施例を、図１２〜図１３を用いて説明する。なお上記第１〜第６の実施例と同一構成部品については同一符号を付して、その説明を省略する。
【００４４】
抜け止めストッパー１１には一体に形成された環状部２５の内外面は滑らかに形成され、その一部に切欠き部２６が設けられると同時に、環状部２５の外周面に凸部２７が形成されている。抜け止めストッパー１１の切欠き部２６は、射出成形の金型構造上約１ｍｍの隙間間隔に形成されている。この抜け止めストッパー１１を保持部にねじ締め固定すると、手元パイプ６の内面の壁に前記凸部２７が当たって環状部２５の径が縮まり、切欠き部２６の隙間が無くなる。
【００４５】
上記構成による作用は以下の通りである。
【００４６】
環状部２５の切欠き部２６の隙間が、抜け止めストッパー１１の組み込み固定で無くなり、回転パイプ９の回動で導線１５が環状部２５内から飛び出て、手元パイプ６の内部エッジ部に触れる事態の発生を確実に防止できる値のである。
【００４７】
（実施例８）
次に本発明の第８の実施例を、図１４〜図１５を用いて説明する。なお上記第１〜第７の実施例と同一構成部品については同一符号を付して、その説明を省略する。
【００４８】
回転パイプ９の周面には一対の環状リブ６ａを設け、そのリブ６ａ間に環状の案内溝６ｂが形成されている。同時に案内溝６ｂの所定位置には、この案内溝６ｂに摺動自在に挿入されて回転パイプ９の抜け止めを行なう抜け止めストッパー１１の突子２８が当接して回転パイプ９の回動範囲を規制する規制部２９が形成されている。規制部２９の案内溝６ｂからの周方向への高さは、最大、規制部２９外周面が環状リブ６ａの外周面と同一までに設定されている。
【００４９】
上記構成による作用は以下の通りである。
【００５０】
ホース２のねじれ防止の回動が生じても常にハンドル部８を把持しながら良好なスイッチ１３ａ操作ができる。同時に、回転パイプ９の抜け止めを行う抜け止めストッパー１１の突子２８が案内溝６ｂの規制部２９に当接するまでの回動範囲規制構造を兼ねることにより、同部が導線１５から位置的に離れて触れ合うことが無くなり、導線１５の損傷防止が確実に行なえるものである。当然ながら、回動規制部を別に設ける必要がないため、手元パイプ６や回転パイプ９の形状が単純化でき、樹脂射出成形性をも向上できるものである。
【産業上の利用可能性】
【００５１】
以上のように、本発明にかかる電気掃除機は、抜け止めストッパーと案内溝から構成される抜け止め部を延接部内に設けられるので、ホースに大きな引張り力が加わっても、案内溝を深くして、抜け止めストッパーが案内溝を容易に乗り越えないようにすることができ、大きな引張り力に十分耐えられる構造にすることができる。
【００５２】
また、延接部には手元パイプと離間したハンドル部を設けたことにより、ハンドル部を、握り易い径に設定でき、手元部の操作性の向上が図れるものである。
【図面の簡単な説明】
【００５３】
【図１】本発明の実施の形態１における電気掃除機の手元パイプの一部破断側面図
【図２】図１におけるＺ−Ｚ断面図
【図３】同、電気掃除機の全体図
【図４】本発明の実施の形態３における電気掃除機の手元パイプの一部破断側面図
【図５】図４におけるＹ−Ｙ断面図
【図６】本発明の実施の形態４における電気掃除機の手元パイプの要部断面図
【図７】本発明の実施の形態５における電気掃除機の手元パイプの一部破断側面図
【図８】同、電気掃除機の一部破断平面図
【図９】同、電気掃除機の抜け止めストッパーの斜視図
【図１０】本発明の実施の形態６を示す電気掃除機の手元パイプの一部破断平面図
【図１１】同、電気掃除機の抜け止めストッパーの斜視図
【図１２】本発明の実施の形態７を示す電気掃除機の手元パイプの一部破断平面図
【図１３】同、電気掃除機の抜け止めストッパーの斜視図
【図１４】本発明の実施の形態８を示す電気掃除機の手元パイプの一部破断平面図
【図１５】図１４のＸ−Ｘ断面図
【符号の説明】
【００５４】
２    ホース
３    手元部
３ａ  延接部
６    手元パイプ
６ｂ  案内溝（抜け止め部）
８    ハンドル部
９    回転パイプ
１１  抜け止めストッパー（抜け止め部）
１２  取付部
１３  プリント基板
１５  導線
１８  突起部Ａ（回動規制部）
１９  突起部Ｂ（回動規制部）
２０  カバー部材
２４  中空部
２５  環状部
２６  切欠き部
２７  凸部
２８  突子（回動規制部）
２９  規制部（回動規制部）
【図１】
2007236971.tif 000003
【図２】
2007236971.tif 000004
【図３】
2007236971.tif 000005
【図４】
2007236971.tif 000006
【図５】
2007236971.tif 000007
【図６】
2007236971.tif 000008
【図７】
2007236971.tif 000009
【図８】
2007236971.tif 000010
【図９】
2007236971.tif 000011
【図１０】
2007236971.tif 000012
【図１１】
2007236971.tif 000013
【図１２】
2007236971.tif 000014
【図１３】
2007236971.tif 000015
【図１４】
2007236971.tif 000016
【図１５】
2007236971.tif 000017